(57)【要約】【課題】クッションのボデー部の横ズレという問題を解決し、良好な装着性を維持するとともに一旦装着された後は簡単には取付け穴から外れないようにしたクッションを提供する。【解決手段】周囲を凹部形成壁に囲まれた取付座面に取付穴を有する取付部材と、衝撃荷重を受けるボデー部と取付部材への装着に寄与する係合部とボデー部と係合部とを連結する連結部とからなるクッションにおいて、ボデー部の底部外周面に位置ズレ規制部を形成したクッションとからなり、凹部形成壁と位置ズレ規制部とが当接することで取付穴とクッションの位置ズレを規制するクッションの取付構造とすることで、クッションと取付穴の位置ズレにより、クッションが取付穴からはずれてしまうのを防止する。【選択図】図１
2007239812.tif 000002
【特許請求の範囲】
【請求項１】
周囲を凹部形成壁に囲まれた取付け座面に取付け穴を有する取付け部材と、
衝撃荷重を受けるボデー部と上記取付け部材への装着に寄与する係合部と該ボデー部と該係合部とを連結する連結部とを有するクッションからなるクッション取付け構造において、
上記ボデー部の底部外周面に位置ズレ規制部を形成し、
上記凹部形成壁と上記位置ズレ規制部とが当接することで上記クッションの脱落を防止することを特徴とするクッション取付け構造。
【請求項２】
上記位置ズレ規制部と上記取付け部材の上記凹部形成壁との間隔は０ｍｍ以上２．０ｍｍ以下であることを特徴とする請求項１記載のクッション取付け構造。
【請求項３】
上記位置ズレ規制部は上記ボデー部の上記底部外周面から突出して形成されており、上記取付け部材に取付けた状態では該位置ズレ規制部の該取付け部材側の端部は上記取付け座面と離間していることを特徴とする請求項１記載のクッション取付け構造。
【請求項４】
上記位置ズレ規制部の上端部には上記取付け部材の凹部を覆うカバーリップが形成されていることを特徴とする請求項１から３に記載のクッション取付け構造。
【発明の詳細な説明】
【技術分野】
【０００１】
本発明は、ドアあるいはリッド等に設けられるものであって、これらドアあるいはリッド等の閉時に、当該ドア等に入力する衝撃力（荷重）を緩和させるように機能するクッションに関するものであり、特に、一旦組付けられた後は脱落等の問題の生ずることのないようにしたクッション取付け構造に関するものである。
【背景技術】
【０００２】
従来のこれらのクッションは、例えば図６に示す如く、円錐台状の形態からなるものであって衝撃吸収機能を有するボデー部１０と、当該円錐台状ボデー部１０の底面部１１０に設けられるものであって円環状の形態からなるとともにテーパ面からなる挿入部３０を有する係合部２０と、からなるものである。そして、これらがゴム部材等にて一体的に形成されるようになっているものである。このような構成からなるクッションを所定の取付け部材９０等に取付けようとすると、上記挿入部３０がゴム部材からなるため取付け部材９０との間において滑り性が良くなく、潤滑材を塗布したりしている。しかしながら、それでも装着性が十分ではないという問題がある。この点を解決するために取付け部材９０側の取付け穴の径を大きくしたりしている場合がある。しかし、このように装着性を優先させようとすると、装着後ボデー部１０に軸直角方向の荷重が加わった場合にクッション自体がこじり上げられて脱落してしまうという問題がある。
【０００３】
この点に鑑み、特許文献１には、取付け部材９への組付け作業性が良く、組付け後は脱落しにくいクッションの取付け構造が紹介されている。同文献記載のクッションは、弾性材料により形成され、図７に示すようにクッションのボデー部１と挿入部にすぐり溝を形成した係合部２を連結し変形しやすいように形成された連結部３に、その横断面部における長手方向の両側面部に突起部３３を設けている。この構成により、ボデー部１に軸直角方向の荷重が入力して連結部３が撓み変形しても、突起部３３の先端部が取付け穴９１の周縁部に接触して撓み変形を規制するストッパとして作用し、組付け作業性と耐脱落性の双方を向上させている。
【特許文献１】特開２００４−２９１９０２号公報
【発明の開示】
【発明が解決しようとする課題】
【０００４】
しかしながら、突起部３３は連結部３に一体成形で設けられた部材でありゴム状弾性体であるため撓み変形を規制するストッパ効果が低く、装着された後（組付けられた後）において、ボデー部１０のところに軸直角方向の荷重（力）が加わった場合に取付け穴に対して横ズレをおこし易く、クッション自体がこじり上げられて脱落してしまうという問題を十分には解決できていない。このようなボデー部１０の横ズレという問題点を解決し、良好な装着性を維持したまま一旦装着された後は簡単には取付け穴から外れないようにしたクッションの取付け構造を提供するのが、本発明の目的（課題）である。
【課題を解決するための手段】
【０００５】
上記課題を解決するため、本発明のクッションは、周囲を凹部形成壁に囲まれた取付け座面に取付け穴を有する取付け部材と、衝撃荷重を受けるボデー部と取付け部材への装着に寄与する係合部とボデー部と係合部とを連結する連結部とからなるクッションにおいて、ボデー部の底部外周面に位置ズレ規制部を形成したクッションとからなり、凹部形成壁と位置ズレ規制部とが当接することで取付け穴とクッションの位置ズレを規制するクッション取付け構造をその要旨としている。このような構成とすることにより、ボデー部の底部の外周に形成されている位置ズレ規制部が取付け部材の凹部形成壁に当接することで位置ズレが規制されるため、クッションと取付け穴の位置ズレにより係合代が減少して、クッションが取付け穴からはずれてしまうのを防止することができる。
【０００６】
好ましくは、位置ズレ規制部と取付け部材の凹部形成壁との間隔は０ｍｍ以上２．０ｍｍ以下である構成とした方がよい。このような構成とすることにより、より確実にクッションが取付け穴からはずれてしまうのを防止することができる。
【０００７】
好ましくは、位置ズレ規制部はボデー部の底部外周面から突出して形成されており、取付け部材に取付けた時には位置ズレ規制部の取付け部材側の端部が取付け座面と離間している構成とした方がよい。このような構成とすることにより、取付け座面と凹部形成壁との隅部が位置ズレ規制部と干渉して段差を乗り上げてしまい、位置ズレ規制機能を阻害する事を防止できる。
【０００８】
好ましくは、ボデー部の底部には取付け部材の取付け凹部を覆うカバーリップが形成されている構成とした方がよい。このような構成とすることにより、取付け凹部へのゴミや水の溜りを防止することができ、凹部への汚れの溜りや錆の発生を防止することができる。
【発明の効果】
【０００９】
本発明によると、ボデー部１０に軸直角方向の荷重（力）が加わって取付け穴９１に対する横ズレをはじめると、フランジ部１２の外周部に形成された位置ズレ規制面１２３が、取付け座面９２を囲む凹部形成壁９３に当接して、ボデー部１０自体が横ズレする事を規制する。これにより、係合部２がすぐり溝形成による低剛性仕様であったとしても、クッション自体がこじり上げられて脱落してしまうという問題を防止することができる。
【発明を実施するための最良の形態】
【００１０】
以上説明した本発明の構成・作用を一層明らかにするために、以下本発明の好適な実施例について説明する。
【００１１】
本発明の実施の形態について図１ないし図４を基に説明する。本実施形態の構成は図１に示すように、衝撃荷重を受けるボデー部１と、当該ボデー部１に連続して設けられるものであって取付け部材９への装着に寄与する係合部２と、当該係合部２とボデー部１との間を連結するものであって撓み易いように形成された連結部３と、からなることを基本とするものである。そして、これらがゴム状弾性体にて一体的に形成されるようになっているものである。
【００１２】
このような基本構成から成るものにおいて、上記ボデー部１は、多くの場合は、円錐台状の形態からなるものであるが、場合によっては円柱状体、あるいは変形四角錐台等の形態からなるものも考えられる。そして、このような形態からなるものにおいて、本ボデー部１の底面部１１に近い底部１３には、図１に示す如く、円周溝１５が設けられるようになっている。これによって、底面部１１付近には円環状のフランジ部１２が形成されるようになる。そして、このフランジ部１２の下方部であって底面部１１の外周部を成すところには、図１に示す如く、底面部１１の全周にわたってリング状の突起部１２１が設けられるようになっている。このリング状突起部１２１及び上記円周溝１５の作用により、フランジ部１２は、ボデー部１の軸線方向へ撓み易くなるとともに、その方向にバネ反力を発揮するようになる。また、前記フランジ部１２の外周面から１段外径方向に隆起して環状に形成された位置ズレ規制部１２２が設けられている。
【００１３】
次に、ボデー部１の底面部１１に対して連結部３を介して直立状に設けられる係合部２について説明する。その基本的な形態は図１に示す如く、円錐台状あるいはコーン状の形態からなるものであって、先端部に向かって先細り状に形成されたテーパ面からなる導入部２９を有するようになっているものである。このような形態からなるものにおいて、本実施の形態のものにおいては、図１に示す如く、すぐり溝２１が複数本、本係合部２の軸線方向に平行なように設けられるようになっているものである。なお、このすぐり溝２１は、その縦方向（軸線方向）においては、ボデー部１の底面部１１側へは開口するようになっているが、その反対側である下方部については、図１に示す如く、導入部２９の途中のところで止められ、最先端部まではすぐられないようになっているものである。
【００１４】
また、上記すぐり溝２１は、その縦方向の最下端部２１１の位置が、例えば図１に示す如く、係合部２の導入部２９を形成する部分の横断面部における径の値が取付け穴９１に嵌合する嵌合部２５の外径寸法（ｄ）と略同じ値となるところまで来るように設置されるようになっているものである。すなわち、嵌合部２５の外径寸法（ｄ）と同じ値の内径を有する取付け穴９１に上記係合部２の導入部２９を挿入する場合において、取付け穴９１の内径部と係合部２を形成する導入部２９の横断面部とが接するようになったとき、すぐり溝２１の最下端部２１１が上記取付け穴９１の内径部に開口部を形成する状態となるように、上記すぐり溝２１の縦方向の長さ、すなわち、最下端部２１１の位置を設定することとする（図１参照）。その結果、係合部２の取付け穴９１内への挿入に当たっては、上記係合部２の横断面積が大きくなり、取付け穴９１内へ係合部２の各横断面部の挿入が難しくなるような状態において、上記すぐり溝２１の側壁部２１９がすぐり溝２１内へ倒れ込むように弾性変形をし、係合部２の各横断面部は縮径されるようになる。その結果、係合部２の取付け穴９１への取付けが円滑に行われるようになる。
【００１５】
但し、このすぐり溝２１の、その最下端部２１１の位置は、ある特定の範囲内に規制されるようになっているものである。すなわち、上記最下端部２１１の位置は、図１に示す如く、取付け部材９の板厚の値（ｔ）の範囲内に設定されるようになっているものである。具体的には、本すぐり溝２１の縦方向の長さ（Ｌ）は、係合部２を形成する導入部２９の横断面部における径の値が嵌合部２５の外径寸法（ｄ）と同じ値となる位置（Ｈ）を基準にして、これに上記取付け部材９の板厚の値（ｔ）を加えた値の範囲内に限定されるようになっているものである。すなわち、Ｈ≦Ｌ≦Ｈ＋ｔの関係式が成り立つようになっているものである。このような範囲内にすぐり溝２１の縦方向の長さを限定することによって、係合部２の取付け穴９１への装着が円滑に行われる。
【００１６】
また、本すぐり溝２１は図２に示す如く、その横断面部において対称形を成すように設けられるようになっているものである。そして、このようなすぐり溝２１のうちの相対向するものの間に形成される肉厚部の部分を薄肉状に形成するとともに、この薄肉状に形成された薄膜部２２を、後に述べる連結部３の側面部に直角状に連結させるようにしている。このような薄膜部２２を設けることによって上記すぐり溝２１の側面部に形成される縦壁部２４の倒れ現象あるいは拡がり現象を上記薄膜部２２の伸び変形に対する弾性抵抗力によって抑止するようにしているものである。
【００１７】
次に、ボデー部１と係合部２との間を連結する連結部３について説明する。このものは、基本的には板状の形態からなるものであり、その横断面形状は図２に示すように長方形の形態からなるものである。また、このような連結部３は、一方がボデー部１の底面部１１の中央部のところに直立状に結合されるとともに、他方は係合部２の中央部のところに直立状に結合されるようになっているものである。そして、このような連結部３の横断面における長手方向の両側面部の中央部のところには、図２に示す如く、上記長手方向に対して略直角な方向に突起部３３が設けられるようになっている。この突起部３３は、上記連結部３および嵌合部２５の撓み変形を規制するストッパの役目を果たすようになっているものである。すなわち、ボデー部１に軸直角方向の荷重（図４に示すＦ方向荷重）が加わった場合に、突起部３３は嵌合部２５が取付け穴９１の内径側に撓み変形する事を抑止するように嵌合部２５を径方向に支持しているものである。また、上記長手方向両端部のところには、係合部２に設けられた円弧状の係合面部２６と同じ円周上に形成される係合面部２６’が設けられるようになっている。また、本連結部３の長手方向側面部には本連結部３に沿うようにすぐり溝２１が設けられるようになっているものである（図２参照）。そして、このようなすぐり溝２１のうちの相対向するように設けられるものの溝底辺部間に形成される薄膜部２２は、図２に示す如く、本連結部３の横断面における長手方向側面部に直交するように設けられるようになっているものである。すなわち、連結部３と薄膜部２２とは、横断面形において直交するように形成されるようになっているものである。
【００１８】
ここで、位置ズレ規制部１２２について説明する。図３に示すように本発明の実施形態のクッションを取付け部材９の取付け穴９１に取付けると、底面部１１の外周部の突起部１２１は取付け座面９２に押圧されフランジ部１２全体が起こされる。このときフランジ部外周面から１段隆起して形成されている位置ズレ規制部１２２の位置ズレ規制面１２３は取付け部材９の凹部形成壁９３に対向して配置され、位置ズレ規制部１２２の下端は取付け座面９２から軸方向へ離間して位置するように形成されており、取付け座面９２と凹部形成壁９３との隅部との干渉を避けて取付けられている。このとき位置ズレ規制面１２３と凹部形成壁９３との間隔Ａは、０ｍｍ≦Ａ≦２．０ｍｍに設定されることが好ましい。間隔Ａが０ｍｍ未満であると、フランジ部１２がおこされた時に凹部形成壁９３と強く当接し脱落しにくくなる。したがって、このように位置ズレ規制面１２３と凹部形成壁９３とが圧縮代を有する場合には、クッションのフランジ部１２自体が取付け部材９の凹部形成壁９３に強く押圧しているため、図４に示すような転びが発生しようとする時に、この押圧によりフランジ部１２が抜けにくくなるのである。その反面、装着の際段差に乗り上げやすくなるため組付け性が若干低下する。間隔Ａが２．０ｍｍを超えると、連結部径と係合部径の径差による係合代でクッションを取付ける仕様の場合には、ズレ量が係合代を超えてしまい脱落しやすくなる。このズレ量は、フランジ部１２の外周に形成されている位置ズレ規制部１２２が取付け部材９の凹部形成壁９３に当接することで規制されるため、ボデー部１と取付け穴９１の位置ズレにより、係合面部２６、２６’が取付け穴からはずれてしまうのを防止することができる。そして、その最大位置ズレ量は位置ズレ規制面１２３と凹部形成壁９３の間隔を規制することで制御することができる。
【００１９】
ボデー部１に軸直角方向の荷重（図４に示すＦ方向荷重）が加わった場合について説明する。このクッションのボデー部１に軸直角方向の荷重Ｆが加わってボデー部１が押されると、先ず上記の凹部形成壁９３に対する位置決め規制部１２２の押圧により、抜け方向の移動に耐えようとする。しかし、さらに大きな力が加わってフランジ部１２が凹部形成壁９３から外れて出てきてしまうと、取付け穴９１に対して位置ズレがはじまる。このとき、突起部３３は上記連結部３および嵌合部２５の撓み変形を規制するストッパの役目を果たすようになっているものである。すなわち、ボデー部１に軸直角方向の荷重（図４に示すＦ方向荷重）が加わった場合に、突起部３３は嵌合部２５が取付け穴９１の内径側に撓み変形する事を抑止するように嵌合部２５を径方向に支持しているものである。また、図４に示すような転びが発生した場合には、係合部２全体を軸方向に引き上げて取付け穴９１に対する係合力を高めるものである。さらに、位置決め規制面１２３により横ズレが抑制されているため、従来に比べて嵌合部２５および係合面部２６は取付け穴９１から格段に外れにくくなっているのである。
【００２０】
本発明のクッションには、図５に示すようなカバーリップ１２４を位置ズレ規制面１２３の上端部から延設して設けることが好ましい。このような構成とすることで、取付け凹部へのゴミや水の溜りを防止することができる。また、本実施例では係合部にすぐり溝を形成して取付け穴への装着性を向上した仕様で説明をしたが、装着性向上の方法はこれに限るものではなく、例えば中実の係合部であって、取付け穴に対する係合部の係り代を小さく設定する仕様や、係り代を小さくするために取付け穴を大きく設定するような仕様であっても同様の効果を得ることができる。この他、本発明の要旨を逸脱しない範囲において種々の態様が可能である。
【図面の簡単な説明】
【００２１】
【図１】本発明の全体構成を示す半断面図及び外観図である。
【図２】実施例の連結部の断面図である。
【図３】実施例の位置ズレ規制部の拡大図である。
【図４】本発明にかかるクッションに軸直角方向の荷重が入力した状態を示す一部断面図である。
【図５】カバーリップ付の実施例の全体構成を示す半断面図及び外観図である。
【図６】従来のものの全体構成を示す縦断面図である。
【図７】従来のものの全体構成を示す半断面図及び外観図である。
【符号の説明】
【００２２】
１          ボデー部
１１        底面部
１２        フランジ部
１２１      突起部
１２２      位置ズレ規制部
１２３      位置ズレ規制面
１２４      カバーリップ
１３        底部
１５        円周溝
２          係合部
２１        すぐり溝
２１１      最下端部
２１９      側壁部
２２        薄膜部
２４        縦壁部
２５        嵌合部
２６        係合面部
２６’      係合面部
２９        導入部
３          連結部
３３        突起部
９          取付け部材
９１        取付け穴
９２        取付け座面
９３        凹部形成壁
【図１】
2007239812.tif 000003
【図２】
2007239812.tif 000004
【図３】
2007239812.tif 000005
【図４】
2007239812.tif 000006
【図５】
2007239812.tif 000007
【図６】
2007239812.tif 000008
【図７】
2007239812.tif 000009